(57)【特許請求の範囲】
【請求項１】
公衆通信網に接続された基地局と符号分割多重接続（ＣＤＭＡ）信号を送受信する携帯通信機器において、
上記ＣＤＭＡ信号を送受信する無線通信手段と、
送受信するＣＤＭＡ信号を送話信号まで変復調するベースバンド変復調手段と、
上記ＣＤＭＡ信号の送受信を制御する制御手段とを備え、
上記制御手段は、設定したチャネルの捕捉を試みて、上記設定したチャネルを捕捉できなかった場合には、上記設定したチャネルと異なるチャネルを再設定し、
再設定したチャネルの捕捉を試みて、上記再設定したチャネルの捕捉の可否を判定し、
上記再設定したチャネルを捕捉できなかったものと判定された場合には、チャネル捕捉に失敗したものとみし、
上記再設定したチャネルを捕捉できたものと判定され場合には、システムロストしてしまうか否かを判定し、
上記再設定したチャネルを捕捉できたものと判定され、かつシステムロストしなければ、待ち受け動作に移行し、
上記再設定したチャネルを捕捉できたものと判定され、かつシステムロストしてしまう場合には、上記再設定したチャネルの捕捉を規定回数試行し、かつオーバーヘッドメッセージを取得してない場合に限り、チャネルの設定変更を行うことを特徴とする携帯通信機器。
【請求項２】
公衆通信網に接続された基地局と符号分割多重接続（ＣＤＭＡ）信号を送受信する無線通信部と、送受信するＣＤＭＡ信号を送話信号まで変復調するベースバンド変復調部と、上記ＣＤＭＡ信号の送受信を制御する制御手段とを備える携帯通信機器に適用されるチャネル捕捉方法であって、
設定したチャネルの捕捉を試みて、上記設定したチャネルを捕捉できなかった場合には、上記設定したチャネルと異なるチャネルを再設定し、
再設定したチャネルの捕捉を試みて、上記再設定したチャネルの捕捉の可否を判定し、
上記再設定したチャネルを捕捉できなかったものと判定された場合には、チャネル捕捉に失敗したものとみし、
上記再設定したチャネルを捕捉できたものと判定され場合には、システムロストしてしまうか否かを判定し、
上記再設定したチャネルを捕捉できたものと判定され、かつシステムロストしなければ、待ち受け動作に移行し、
上記再設定したチャネルを捕捉できたものと判定され、かつシステムロストしてしまう場合には、上記再設定したチャネルの捕捉を規定回数試行し、かつオーバーヘッドメッセージを取得してない場合に限り、チャネルの設定変更を行うことを特徴とするチャネル捕捉方法。
【発明の詳細な説明】
【０００１】
【発明の属する技術分野】
本発明は、符号分割多重接続（ＣＤＭＡ：Code Division Multiple Access）方式による移動体通信システムに適用される携帯通信機器及びチャネル捕捉方法に関する。
【０００２】
【従来の技術】
近年、移動体通信システムにおける多元接続方法として、符号分割多重接続（ＣＤＭＡ：Code Division Multiple Access）と呼ばれる接続方式が提案されている。このＣＤＭＡ方式は、同一の無線周波数において各ユーザ固有のコードを用いて設定した無線伝送路（以下、チャネルと呼ぶ）上で、スペクトル拡散により変調された信号を多重化して伝送する。
【０００３】
スペクトル拡散は、直接拡散方式（ＤＳ方式）と周波数ホッピング方式（ＦＨ方式）に大別される。中でもＤＳ方式は、通信したい情報速度よりビットレートの大きなＰＮ信号(pseud noise：擬似雑音）符号を使って搬送波を変調し、周波数を拡散して送信する。受信側では、受信した電波の中からそのＰＮ符号と同じビット列をもつ信号だけを取り出し、情報データに復調する。これにより、復調時において伝送路において重畳された干渉成分や雑音をスペクトル拡散させることで取り除くことができる。
【０００４】
このＣＤＭＡ方式に適用される携帯電話等の移動端末は、発呼（発信）、着呼（着信）やメッセージの送受信を行う前に、情報を伝送するチャネルを設定し、設定したチャネルの捕捉を開始する。そして捕捉したチャネルの構成情報、タイミング情報を取得し、捕捉したチャネルのタイミングに同期させる。
【０００５】
図３は、従来におけるチャネルの捕捉手順の詳細を説明するためのフローチャートである。この図３において、先ず、移動端末に電源が投入されると、存在するチャネルＡとチャネルＢのうち、任意のチャネルが初期設定される。
【０００６】
その後、初期設定したチャネルにつき捕捉試行する。例えばチャネルＡを初期設定した場合には、チャネルＡを捕捉試行する。
【０００７】
ここで上記初期設定したチャネルＡを捕捉できなかった場合には、初期設定したチャネルと異なるチャネル、すなわちチャネルＢに再設定され（
３１）、チャネルＢを捕捉試行する（ＳＴ３２）。
【０００８】
再設定したチャネルＢの捕捉を試みた後に、ステップＳＴ３３に移行し、設定したチャネルＢの捕捉の可否を判定する。この判定は、基地局の識別番号、受信電界強度等のパラメータを基準にして行う。
【０００９】
このステップＳＴ３３において、チャネルＢを捕捉できなかったものと判定された場合には、チャネル捕捉に失敗したものとみなされる（ＳＴ３４）。
【００１０】
一方、ステップＳＴ３３においてチャネルＢを捕捉でき、かつチャネルリストメッセージで指定されたチャネル切換え先で有効なメッセージを受信できた場合には、システムロストせずに待ち受け動作（ＳＴ３５）に移行する。
【００１１】
【発明が解決しようとする課題】
しかしながら、移動端末が電界強度の高いチャネルを捕捉できず、稀に電界強度の低い、いわゆる不適切なチャネルを捕捉してしまう場合もある。
【００１２】
例えば、チャネルＡの電界強度が大きく、チャネルＢの電界強度が小さいときに、初期設定したチャネルＡを捕捉失敗し、ステップＳＴ３１においてチャネルＢに再設定され、チャネルＢを捕捉したものとする。かかる場合には、チャネルＢを捕捉してしまったがために、チャネルリストメッセージで指定されたチャネル切換え先で有効なメッセージを受信できずシステムロストしてしまう（ＳＴ３６）。
【００１３】
従来の技術において、システムロストした後は、図３に示すとおりシステムロスト時に設定されているチャネルを再度捕捉試行するため、有効なメッセージを受信できず、延々とシステムロストし続けるという問題点があった。
【００１４】
そこで、本発明は、上述したような実情に鑑みて提案されたものであり、不適切なチャネルを捕捉し、システムロストした場合であっても、適切なチャネルを捕捉することができる携帯通信機器及びチャネル捕捉方法を提供することを目的とする。
【００１５】
【課題を解決するための手段】
本発明に係る携帯端末機器は、上記の目的を達成するため、ＣＤＭＡ信号を送受信する無線通信手段と、送受信するＣＤＭＡ信号を送話信号まで変復調するベースバンド変復調手段と、上記ＣＤＭＡ信号の送受信を制御する制御手段とを備え、上記制御手段は、設定したチャネルの捕捉を試みて、上記設定したチャネルを捕捉できなかった場合には、上記設定したチャネルと異なるチャネルを再設定し、再設定したチャネルの捕捉を試みて、上記再設定したチャネルの捕捉の可否を判定し、上記再設定したチャネルを捕捉できなかったものと判定された場合には、チャネル捕捉に失敗したものとみし、  上記再設定したチャネルを捕捉できたものと判定され場合には、システムロストしてしまうか否かを判定し、上記再設定したチャネルを捕捉できたものと判定され、かつシステムロストしなければ、待ち受け動作に移行し、上記再設定したチャネルを捕捉できたものと判定され、かつシステムロストしてしまう場合には、上記再設定したチャネルの捕捉を規定回数試行し、かつオーバーヘッドメッセージを取得してない場合に限り、チャネルの設定変更を行うことを特徴とする。
【００１６】
この携帯端末機器は、初期設定したチャネルを捕捉できずにシステムロストした場合において、再度捕捉試行する。
【００１７】
本発明に係るチャネル捕捉方法は、上記の目的を達成するため、公衆通信網に接続された基地局と符号分割多重接続（ＣＤＭＡ）信号を送受信する無線通信部と、送受信するＣＤＭＡ信号を送話信号まで変復調するベースバンド変復調部と、上記ＣＤＭＡ信号の送受信を制御する制御手段とを備える携帯通信機器に適用されるチャネル捕捉方法であって、設定したチャネルの捕捉を試みて、上記設定したチャネルを捕捉できなかった場合には、上記設定したチャネルと異なるチャネルを再設定し、再設定したチャネルの捕捉を試みて、上記再設定したチャネルの捕捉の可否を判定し、上記再設定したチャネルを捕捉できなかったものと判定された場合には、チャネル捕捉に失敗したものとみし、上記再設定したチャネルを捕捉できたものと判定され場合には、システムロストしてしまうか否かを判定し、上記再設定したチャネルを捕捉できたものと判定され、かつシステムロストしなければ、待ち受け動作に移行し、上記再設定したチャネルを捕捉できたものと判定され、かつシステムロストしてしまう場合には、上記再設定したチャネルの捕捉を規定回数試行し、かつオーバーヘッドメッセージを取得してない場合に限り、チャネルの設定変更を行うことを特徴とする。
【００１８】
このチャネル捕捉方法は、初期設定したチャネルを捕捉できずにシステムロストした場合において、再度捕捉試行する。
【００１９】
【発明の実施の形態】
以下、本発明の実施の形態について図面を参照しながら詳細に説明する。
【００２０】
先ずＣＤＭＡ方式による移動体通信システムに適用される移動端末１について説明する。図１は、移動端末１のブロック構成図である。移動端末１は、図１に示すように、アンテナ１１と、アンテナ共用器１２と、無線送信部１３と、無線受信部１４と、局部発振器１５と、ベースバンド変復調部１６と、ＣＰＵ１７と、メモリ１８と、操作部１９と、音声処理部２０とを備えている。
【００２１】
アンテナ１１は、アンテナ共用器に接続され、基地局と送受信するＣＤＭＡ信号をアンテナ共用器と入出力する。
【００２２】
アンテナ共用器１２は、基地局とのＣＤＭＡ信号の送受信をアンテナ１１で共用させるため、例えば誘電体フィルタ等から構成されるものであり、一方がアンテナ１１に接続され、他方が無線送信部１３及無線受信部１４に接続される。なお移動端末１は、このアンテナ共用器１２を用いない構成もある。
【００２３】
無線送信部１３は、ベースバンド変復調部１６から入力される中間周波数帯域のＣＤＭＡ信号を無線周波数帯域まで周波数変換し、アンテナ共用器１２へ出力する。
【００２４】
無線受信部１４は、アンテナ共用器１２から入力される無線周波数帯域のＣＤＭＡ信号を中間周波数帯域まで周波数変換し、ベースバンド変復調部１６へ出力する。
【００２５】
なお、無線送信部１３及び無線受信部１４は、それぞれ局部発振器１５に接続され、局部発信周波数信号が供給される。
【００２６】
ベースバンド変復調部１６は、無線送信部１３及び無線受信部１４と、音声処理部２０との間でＣＤＭＡ信号を入出力し、スペクトル拡散、ディジタル変復調、多重化、情報源符号化、伝送路符号化等の処理を行う。例えば、ＣＤＭＡ信号を送信する場合において、音声処理部２０から入力される送話信号をＡ／Ｄ変換し、ＰＮ符号を掛け合わせることで、スペクトル拡散を行う。ＣＤＭＡ信号を受信する場合には、掛け合わせたＰＮ符号と同じビット列をもつ信号のみ取り出し、送話信号へ復調し、音声処理部２０へ出力する。これにより、伝送路で重畳された干渉成分や雑音を、復調時にスペクトル拡散させることで取り除くことができる。
【００２７】
ＣＰＵ１７は、ベースバンド変復調部１６に接続され、信号の入出力制御等を行う。またこのＣＰＵ１７はメモリ１８に接続され、メモリ１８に格納されたプログラムを読み出して実行する。
【００２８】
メモリ１８は、例えばフラッシュメモリからなり、指定されたアドレスにデータを記憶する。また、このメモリ１８は、捕捉試行するチャネルの優先順位、後述するチャネル捕捉手順を規定したプログラム等を格納する。
【００２９】
操作部１９は、電源スイッチ、ダイヤルキー、各種機能設定用ボタン等を備え、ユーザにより操作される。
【００３０】
音声処理部２０は、ベースバンド変復調部１６に接続され、マイク及びスピーカを介して入出力する音声の音声符号化複合化処理や増幅等を行う。
【００３１】
ところで、ＣＤＭＡ方式に適用される本発明に係る移動端末１は、発呼（発信）、着呼（着信）やメッセージの送受信を行う前に、情報を伝送するチャネルを初期設定し、当該チャネルの捕捉を開始する。そして捕捉したチャネルの構成情報、タイミング情報を取得し、捕捉したチャネルのタイミングに同期させる。
【００３２】
このチャネル捕捉手順の詳細について図２を用いて説明する。図２において、先ず、移動端末１に電源が投入されると、存在するチャネルＡとチャネルＢのうち、任意のチャネルが初期設定される。
【００３３】
その後、初期設定したチャネルにつき捕捉試行する。例えばチャネルＡを初期設定した場合には、チャネルＡを捕捉試行する。
【００３４】
ここで、上記初期設定したチャネルＡを捕捉できなかった場合には、初期設定したチャネルと異なるチャネル、すなわちチャネルＢに再設定され（ＳＴ２１）、チャネルＢを捕捉試行する（ＳＴ２２）。
【００３５】
再設定したチャネルＢの捕捉を試みた後に、ステップＳＴ２３に移行し、設定したチャネルＢの捕捉の可否を判定する。この判定は、基地局の識別番号、受信電界強度等のパラメータを基準にして行う。
【００３６】
このステップＳＴ２３において、チャネルＢを捕捉できなかったものと判定された場合には、チャネル捕捉に失敗したものとみなされる（ＳＴ２４）。
【００３７】
一方、ステップＳＴ２３においてチャネルＢを捕捉できたものと判定され、かつシステムロストしなければ、待ち受け動作（ＳＴ２５）に移行する。
【００３８】
これにより、チャネルＡの電界強度が小さく、チャネルＢの電界強度が大きい場合に、チャネルＢを捕捉することができる。
【００３９】
一方、チャネルＡの電界強度が大きく、チャネルＢの電界強度が小さい場合に、初期設定したチャネルＡの捕捉に失敗してしまい、かつチャネルＢを捕捉することができた場合において、チャネルリストメッセージで指定されたチャネル切換え先で有効なメッセージを受信できずシステムロストしてしまう（ＳＴ２６）。
【００４０】
かかる場合に、補正ステップＳＴ２７に移行し、以下の処理を行う。
【００４１】
補正ステップＳＴ２７は、カウンタを備える。このカウンタは初期値を０とし、補正ステップに入る度にカウンタの数値に１を加え、出力する。すなわちカウンタから出力される数値は、システムロストすることにより補正ステップＳＴ２７に移行した回数を示す。
【００４２】
次にこの補正ステップＳＴ２７において、以下に示す判定を行う。１）カウンタの数値が規定回数以上、２）待ち受けに必要なオーバーヘッドメッセージ（システム情報や移動端末のアクセス方法等を規定したメッセージ）を取得済でないこと。
【００４３】
この判定の結果、１）と２）の条件を共に満たす場合のみ捕捉チャネルを初期設定したチャネルＡに設定し、ステップＳＴ２２に移行して捕捉試行する。また、カウンタの数値を初期値に設定する。
【００４４】
一方、判定の結果、１）と２）の共に満たすことができない場合は、システムロスト時に設定されているチャネル（本実施の形態においては、チャネルＢ）で、ステップＳＴ２２に移行し、捕捉試行する。かかる場合において、カウンタの数値に修正は施さない。
【００４５】
なおカウンタに設定する規定回数は、２回以上の範囲で任意に設定可能である。
【００４６】
初期設定したチャネルＡを捕捉失敗し、電界強度の小さいチャネルＢを捕捉した場合においても、カウンタの数値が規定回数に至るまで、連続してチャネルＢを捕捉試行する。この連続して行う捕捉試行によっても、システムロストしてしまう場合に、一定条件下で、再度チャネルＡで捕捉試行する。
【００４７】
これにより、チャネルＡの電界強度は大きいので、チャネルリストメッセージで指定されたチャネル切換え先で有効なメッセージを容易に受信することができ、システムロストする可能性を低く抑えることができる。
【００４８】
本発明を適用した移動端末１は、特に以下の点において有効である。
【００４９】
電界強度の大きいチャネルを捕捉失敗し、電界強度の小さい、いわゆる不適切なチャネルに再設定され、その不適切なチャネルを捕捉することができたときに特に有効である。かかる場合には、不適切なチャネルを捕捉してしまったがために、有効なメッセージを受信できずにシステムロストしても、規定回数分不適切なチャネルを捕捉試行した後に、電界強度の大きいチャネルに再設定することができる。これにより、有効なメッセージを容易に受信することができ、システムロストし続けるようなことはなくなる。
【００５０】
また、本発明を適用した移動端末１は、電源投入から、システムロストＳＴ２６までのシーケンスは、従来技術と同等であるが、補正ステップＳＴ２７を加えるだけで、待ち受け動作に移行できる確率を向上させることができる。すなわち、必要最小限のステップのみ付加すればよいため、プログラムの骨格を大幅に変更することなく、容易に上記効果を得ることができる。
【００５１】
更に本発明は、上記補正ステップをシステムロスト後に組み入れることで、一度システムロストしてしまった場合においても、最適なチャネルに設定を補正しつつ、再度捕捉試行することができる。
【００５２】
なお、本発明を適用した移動端末１は、上記実施の形態に限定されるものではない。上記チャネル捕捉手順は、電源投入後に限らず、何らかの状況によりチャネル再捕捉が必要になった場合にも適用することができる。
【００５３】
【発明の効果】
以上詳細に説明したように、本発明に係る携帯通信機器は、電界強度の大きいチャネルを捕捉失敗し、電界強度の小さい、いわゆる不適切なチャネルに再設定され、その不適切なチャネルを捕捉することができたときに特に有効である。かかる場合には、不適切なチャネルを捕捉してしまったがために、有効なメッセージを受信できずにシステムロストしても、規定回数分不適切なチャネルを捕捉試行した後に、電界強度の大きいチャネルに再設定することができる。これにより、適切なチャネルを捕捉できることにより待ち受け動作に移行できる確率を上げることができる。また、不適切なチャネルに設定されたままシステムロストし続ける不都合を回避することができる。
【００５４】
更に、本発明に係る携帯通信機器は、補正ステップを加えるだけで、待ち受け動作に移行できる確率を向上させることができる。すなわち、必要最小限のステップのみ付加すればよいため、プログラムの骨格を大幅に変更することなく、容易に上記効果を得ることができる。
【００５５】
以上詳細に説明したように、本発明に係るチャネル捕捉方法は、電界強度の大きいチャネルを捕捉失敗し、電界強度の小さい、いわゆる不適切なチャネルに再設定され、その不適切なチャネルを捕捉することができたときに特に有効である。かかる場合には、不適切なチャネルを捕捉してしまったがために、有効なメッセージを受信できずにシステムロストしても、規定回数分不適切なチャネルを捕捉試行した後に、電界強度の大きいチャネルに再設定することができる。これにより、適切なチャネルを捕捉できることにより待ち受け動作に移行できる確率を上げることができる。また、不適切なチャネルに設定されたままシステムロストし続ける不都合を回避することができる。
【００５６】
更に、本発明に係るチャネル捕捉方法は、補正ステップを加えるだけで、待ち受け動作に移行できる確率を向上させることができる。すなわち、必要最小限のステップのみ付加すればよいため、プログラムの骨格を大幅に変更することなく、容易に上記効果を得ることができる。
【図面の簡単な説明】
【図１】本発明を適用した移動端末１のブロック構成図を示した図である。
【図２】本発明を適用した移動端末１のチャネル捕捉手順を説明するためのフローチャートである。
【図３】従来における携帯通信機器のチャネル捕捉手順を説明するためのフローチャートである。
【符号の説明】
１  移動端末、１１  アンテナ、１２  アンテナ共用器、１３  無線送信部、１４  無線受信部、１５  局部発振器、１６  ベースバンド変復調部、１７  ＣＰＵ、１８  メモリ、１９  操作部、２０  音声処理部
【図１】
0003695355.tif 000002
【図２】
0003695355.tif 000003
【図３】
0003695355.tif 000004